(57)【要約】      （修正有）【課題】水および雪上で使用するスポーツ用具において、軽量、耐久性、耐衝突性および取り扱いが容易であるスポーツ用具を提供する。【解決手段】軽量の剛性材料で作られた本体１０と、本体よりも硬い少なくとも１つの組み込みフレーム体を有する水上スポーツまたは雪上スポーツ用のスポーツ用具であって、本体の上面に固定され、本体よりも硬く構成されたデッキ３０をさらに備える。本体は発泡材からなり、デッキに固定部材（ロック部材２０）によって着脱自在に固定連結され、フレーム体は細長い形状であり、本体は、フレーム体を受け入れるために長さ方向に延びる細長いスロット１４を備えている。【選択図】図２
0003216591.tif 000002
【実用新案登録請求の範囲】
【請求項１】
スポーツ用具であって、
発泡材からなる本体と、
前記本体の上面に固定され、前記本体よりも硬質なデッキと、
本体内に配置され、本体よりも硬いように構成された少なくとも１つのフレーム体とを含むスポーツ用具。
【請求項２】
前記本体は、第１部分と第２部分とを有し、
前記第１部分と前記第２部分は、着脱自在に連結され、それぞれにスロットが設けられており、
前記フレーム体は前記第１部分のスロット及び前記第２部分のスロットに装着され、
デッキは、着脱自在に接続された、第１のデッキと第２のデッキとを備えていることを特徴とする請求項１に記載のスポーツ用具。
【請求項３】
前記本体は、固定部材によって着脱自在に前記デッキに固定されて連結されることを特徴とする請求項２に記載のスポーツ用具。
【請求項４】
前記本体の上面には位置決め溝が設けられ、前記位置決め溝に留まる位置決め突起が前記デッキの底面に設けられていることを特徴とする請求項３に記載のスポーツ用具。
【請求項５】
前記フレーム体は細長い形状であり
前記第１部分のスロットと前記第２部分のスロットは共に前記フレーム体を受け入れるための細長い形状を備えており、前記本体の長さ方向に延びていることを特徴とする請求項２に記載のスポーツ用具。
【請求項６】
前記本体は前記フレーム体と共に、ロック部材によって前記デッキに着脱可能に連結されることを特徴とする請求項５に記載のスポーツ用具。
【請求項７】
前記本体には、前記ロック部材を受け入れる溝が設けられ、前記ロック部材の中央部には、前記フレーム体の通過を許容する貫通孔が設けられ、
前記デッキに向かって前記ロック部材の側部にネジが配置され、
前記ネジは、前記デッキ上に配置された対応する穴を通過し、ナットによってデッキ上に固定されることを特徴とする請求項６に記載のスポーツ用具。
【請求項８】
前記スポーツ器具が、前記本体に設けられ、前記本体の長さ方向に沿って平行に延びる前記２つのスロットに別々に取り付けられた２つのフレーム体を有することを特徴とする請求項５に記載のスポーツ用具。
【請求項９】
前記フレーム体は、３つの部分から構成され、頭部及び尾部がそれぞれ前記本体の前記第１部分及び前記第２部分にそれぞれ配置され、中間部分が前記第１部分および前記第２部分に配置されることを特徴とする請求項８に記載のスポーツ用具。
【請求項１０】
少なくとも１つのアクセサリが、直接的にまたは本体を通過した後にデッキに取り付けられる、請求項１に記載のスポーツ用具。
【請求項１１】
スポーツ用具であって、
軽量で剛性のある材料で作られた本体と、
前記本体の上面に固定され、前記本体よりも硬質なデッキと、
本体内に配置され、本体よりも硬いように構成された少なくとも１つのフレーム体とを含むスポーツ用具。
【請求項１２】
前記本体は発泡材からなることを特徴とする請求項１１に記載のスポーツ用具。
【請求項１３】
前記本体は、前記デッキに固定部材によって着脱自在に固定されて連結されることを特徴とする請求項１１に記載のスポーツ用具。
【請求項１４】
前記フレーム体は細長い形状であり、前記本体は、前記フレーム体を受け入れるために前記長さ方向に延びる細長いスロットを備えている、請求項１３に記載のスポーツ用具。
【請求項１５】
前記固定部材はロック部材であり、
当該ロック部材により、前記本体が前記フレームと共に前記デッキに連結され固定されることを特徴とする請求項１４に記載のスポーツ用具。
【請求項１６】
前記本体には、前記ロック部材を受け入れるための溝が設けられ、前記ロック部材の中央部には、前記フレーム体の通過を許容する貫通孔が設けられており、
前記デッキに向かって前記ロック部材の側部にネジが配置され、
前記ネジは、前記デッキ上に配置された対応する穴を通過し、ナットによってデッキ上に固定されることを特徴とする請求項１５に記載のスポーツ用具。
【考案の詳細な説明】
【技術分野】
【０００１】
本考案は、スポーツ用具の分野に関し、より詳細には、水および雪上で使用できるスポーツ用具に関する。
【背景技術】
【０００２】
人々は水や雪のスポーツに関心を示しつつある。人気のあるウォータースポーツやスノースポーツには、セーリング、ウィンドサーフィン、ウォータースキー、スノーボードなどがある。ほとんどの水上スポーツと雪上スポーツでは、水上飛行機、スノーボード、ボートなどのボード型スポーツ用具を使用する必要がある。アクアプレーンやスノーボードなどのスポーツ用具は、水上や雪上スポーツの際に移動させる必要があることから、軽量であること、ユーザの体重に耐え衝突に抵抗できる程の丈夫さが要求される。その上、ウォータースポーツやスノースポーツは主にアウトドアで行われるため、スポーツ用具は自然界の厳しい環境のテストにも耐える必要がある。したがって、ウォータースポーツやスノースポーツ機器は、酸、アルカリ、海水の侵食に対する耐性の要件を満たす材料で作られていなければならず、長期的な使用を保証するために日光からのＵＶ光、低温、高温などにさらされることに耐えなければならない。
【０００３】
常に、スポーツ用具について軽量性と堅固さの両方を考慮に入れることは非常に困難である。例えば、ボードは１２０立方センチメートルの体積を有するが、その重量は約９キログラムであり、すなわち、立方デシメートル当たりの材料重量は７５グラムに過ぎない。したがって、使用される材料はすべて、非常に低密度の材料である。製品が堅固であることを保証するのは困難である。現在の製造方法および選択された材料は、軽量または堅固さのいずれかが保持されることになり、しばしば他方を満足させるために１つを犠牲にしなければならない。
【０００４】
水と雪用器具の主要な製造方法として、コアを包む薄いケーシングを得るために、発泡材（ｆｏａｍ  ｍａｔｅｒｉａｌ）からなるボードコアの表面に繊維強化熱硬化性エンジニアリングプラスチックが用いられる。ケーシングとコアとは互いに結合されてしっかりした一体の本体を形成する。それは、卵の構造的原理を採用する。すなわち、ケーシングは非常に薄いが、それは一体構造のために非常に硬い。この原理を用いて製造された装置は、大きな容積とある程度の硬さの前提条件の下で比較的軽い重量を有することがある。
【０００５】
このような既存の設備は、材料、構造設計および製造方法に欠陥を有し、かさばり、保管および取り扱いが困難である。主な問題は下記の通りである。
【０００６】
第１に、既存の装置は軽量化のために堅固さを犠牲にしなければならない。その結果、ケーシングが薄くなり、外力による損傷を受けやすくなる。しかし、ウォータースポーツやスノースポーツは激しいスポーツなので、衝突を避けることは困難である。結果として、既存の水および雪上スポーツ用具は耐久性に欠ける。
【０００７】
第２に、既存の装置のケーシングは、繊維強化熱硬化エンジニアリングプラスチックで作られている。熱硬化性プラスチックの製造は、手動操作に大きく依存し、作業者の技術レベルと濃度、化学物質の配合精度への要求が非常に厳しく、天候、温度、湿度などの影響を受け易い。僅かなミスのために製品に欠陥が生じる可能性がある。さらに、熱硬化性プラスチックが化学反応を完了して硬化すると、これ以上修正することはできない。不良品は、全廃棄の結果に直面し得る。既存の製造方法は、製品の不良率が高く、不良品が全廃されるなどのコスト管理の欠点がある。
【０００８】
第３に、既存の装置は卵の構造原理に基づいている。卵は一体構造を備える。卵殻は薄いが、ある程度の堅固を備える。しかし、既存の機器の薄いシェルが損傷した場合、損傷した領域がどれほど小さくても、一体構造が失われる。損傷領域は、その後の損傷拡大の原因であり、最終的には全体の廃棄という結果に直面することになる。
【０００９】
第４に、このような装置は一般にかさばり、移動中に頭部と尾部の両方をケアすることは困難である。シェルは薄いために損傷しやすいので、運搬および運搬中に重い保護材料で包まなければならない。包装は、よりかさばって重くなり、運送や持ち運びの不便を招く。
【考案の概要】
【考案が解決しようとする課題】
【００１０】
本考案の主な目的は、ウォータースポーツ又はスノースポーツのための堅固であり、耐久性があり、かつ軽量なスポーツ用具を提供することである。
【課題を解決するための手段】
【００１１】
上記目的を達成するために、本考案のスポーツ用具は、本体より硬い少なくとも一つのフレーム体が配置された発泡材からなる本体を備える。さらに、本体の上面に固定され、本体よりも硬く構成されたデッキをさらに備える。  
【００１２】
好ましくは、本体は、取り外し可能な第１部分と、取り外し可能な第２部分とを備え、両者にスロットが設けられており、フレーム体がその中に挿入されていてもよい。デッキは、少なくとも着脱可能な第１のデッキと着脱可能な第２のデッキとを備える。
【００１３】
好ましくは、本体は、デッキに固定部材によって取り外し可能に固定され、接続される。
【００１４】
また、本体の上面には位置決め溝が設けられ、デッキの底面には位置決め突起が設けられ、位置決め溝に留められる。
【００１５】
好ましくは、フレーム体は細長い形状であり、本体の第１部分および第２部分のスロットは、本体の長さ方向に沿って伸びるフレーム体を受け入れるための細長い形状である。
【００１６】
さらに、本体は、フレームと一緒に、ロック部材によって取り外し可能に固定され、デッキに接続される。
【００１７】
また、本体には、ロック部材を受け入れるための溝が設けられ、ロック部材の中央部には、フレームを通過させるための貫通孔が設けられている。ネジが、デッキに向いたロック部材の側部（側面）に配置され、デッキ上に配置された対応する穴を通過するように構成され、ナットによってデッキに固定される。
【００１８】
さらに、スポーツ用具は、２つのフレーム体を有し、これらのフレーム体は、本体に配置され、本体の長さ方向に沿って平行に延びる２つのスロットに別々に取り付けられる。
【００１９】
さらに、各フレーム体は３つの部分（セクション）から構成され、頭部（ヘッドセクション）および尾部（テールセクション）がそれぞれ本体の第１部分および第２部分に配置され、中間部分（ミドルセクション）が第１部分および第２部分に取り付けられる。
【００２０】
好ましくは、最終的には、１つのアクセサリが直接的にまたは本体を通過した後にデッキに取り付けられる。
【００２１】
また、本考案は、軽量で剛性のある素材からなる本体と、前記本体の上面に固定され、前記本体よりも硬質なデッキと、前記本体に設けられ、本体よりも硬く構成されていた少なくとも１つのフレーム体を備えるスポーツ用具を提供する。
【００２２】
好ましくは、本体は発泡材からなる。
【００２３】
好ましくは、本体は、デッキに固定部材によって取り外し可能に固定され、接続される。
【００２４】
さらに、フレーム体は細長い形状であり、本体はフレーム体を受けるためにその長さ方向に沿って延びる細長いスロットを備えている。
【００２５】
また、固定部材は、本体をフレーム体と共に固定してデッキに連結するロック部材からなる。
【００２６】
また、本体には、ロック部材を受け入れるための溝が設けられ、ロック部材の中央部には、フレームを通過させるための貫通孔が設けられている。ネジは、デッキに向いたロック部材の側部に配置され、デッキ上に配置された対応する穴を通過し、ナットによってデッキ上に固定される。
【００２７】
本考案のスポーツ用具は、既存の機器のように発泡材料をコアとして使用するのではなく、ある剛性を有する軽質材料、例えば発泡材料を使用して本体を作製する。また、発泡コアを包む硬質ケーシングを採用した既存の機器とは異なり、本考案のスポーツ用機器は、発泡材料からなる本体の表面に硬質デッキが設けられ、硬質フレームが本体に設けられ、本体、デッキとフレーム体とがロック部材を介して一体的に連結されている。
【００２８】
本考案のスポーツ用具は、本体上の動きに必要な異なるアクセサリ（付属品）を設置する既存の機器とは異なり、硬質デッキにアクセサリを設置する。発泡材で作られた本体は硬質デッキと一体化されているため、アクセサリは本体に取り付けられているのと同等の効果を備える。
【００２９】
本考案は、スポーツ用具の本体を作るために発泡材を使用するので、スポーツ用具の２つの要件、軽量および耐久性を満たす。しかしながら、発泡材料で作られたスポーツ用具にはいくつかの制限があり、例えば、材料が軟らかすぎてアクセサリを取り付けることができず、本体が長くなると縦方向の剛性が不足し、軟質材料の上面が重量に耐えるのに適していないか、スポーツ器具にユーザを安定に立たせることに適していない。上記の制限に対処するために、本願は、本体内に硬質フレーム体を、本体上に硬質デッキとを配置し、ロック部材を使用してフレーム体およびデッキを本体に固定して一体型機器を形成し、スポーツ用具の本体として発泡材料を十分に活用する。
【００３０】
本考案は、アクアプレーン、スノーボード、ボート及び他のスポーツ用具の本体を直接的に作るために発泡材料を選択する。発泡材には、軽量、耐久性、水分吸収性、沈降性、移動中の衝突を緩衝するのに十分な弾力性、酸、アルカリ、海水、ＵＶ光、低温および高温、他の過酷な環境に対する耐性を含む数多くの明白な利点があり、水や雪のスポーツ用のスポーツ用具として理想的である。
【００３１】
しかし、発泡材は柔らかく低密度であるため、スポーツ用具の本体として使用する場合、次の３つの制限に直面する。本考案は、フォーム材料の限界を補う以下の解決策を提供する：
【００３２】
発泡材料の低密度で柔らかい質感は、長いスポーツ用具の縦剛性および硬度が不十分であるという問題を引き起こす可能性がある。例えば、スタンディングスケートボードやセイルボードは、一般に３Ｍ以上２．５Ｍ〜３Ｍだが、厚さは１５〜２０ｃｍである。このような長さおよび厚さの発泡材料のみからなるボード本体は、縦剛性および硬度が低い。外力が加わると、曲がったり、揺れたり、揺れたり、全体的に変形したり、元の設計形状から逸脱したりするため、使用効果が低下し、基本的なスポーツ効果が得られなくなることすらある。
【００３３】
本考案は、上記欠点に対処するために、軟質発泡材からなる本体の内部に硬質フレーム体を、本体表面に硬質デッキを配置し、その後次にロック部材を使用してフレーム体とデッキを本体に堅固にロックし、十分な縦剛性と硬度を提供する。
【００３４】
本体を低密度で柔らかい質感の発泡材で構成した場合、例えば、アクセサリが外力によって引っ張られたり外れたりすることがあり、アクセサリ（たとえば、中央ボードボックス、テイルフィンボックス、ユニバーサルジョイント接続ボックス、スライドトラック、フットマフ固定ピース、プルロープ固定ピース、船尾舵および水中翼を含むが、これらに限定されない。）を安定してしっかりと取り付けにくいという問題に対処するために、本考案によれば、アクセサリは、発泡材製の柔らかい本体に直接取り付けられるのではなく、堅固な硬いデッキに取り付けられる。デッキにアクセサリを固定すると、アクセサリ機能発揮要件を満たすことが可能である。ロック部材を介して、デッキと発泡材からなる本体とが一体化されて構成されており、アクセサリは本体に取り付けられたものと同等になる。このようにして、アクセサリの堅固な取り付け要件が満たされるだけでなく、アクセサリと本体の固定および接続も保証され得る。
【００３５】
ボート上に立っていると、使用者の体重によって面が倒れ、使用者が安定して立つことが難しいという問題を解決するために、本考案は、デッキがユーザの体重を支え、かつ、跳ね上がり波の下向き衝突による衝撃に耐えられるように、本体に堅固なデッキを固定し、安定して艇の表面に立つことができるようにする。
【００３６】
まとめると、本考案のスポーツ用具には、硬質のフレーム体が使用され、以下の２つの効果を生み出すことができる：ボードタイプまたはボートタイプのスポーツ用具の本体の縦方向の剛性および硬度を強化し、硬質デッキを本体に接続するためのアンカーポイントとして使用すること。
【００３７】
硬質デッキを採用すると、次の５つの効果が得られる。まず、本体の縦方向の剛性と硬度を強化する。第２に、アクセサリの取り付けに使用できる。第３に、ユーザの体重を支えて運ぶ。第４に、ユーザが立つことに役立つ。第５に、本体を前部と後部に分割する場合、本体の２つの部分の分離を避けるために、本体の前部と後部との間の接続を実現する。
【００３８】
本考案は、添付図面および実施形態を参照することによってさらに説明される。
【図面の簡単な説明】
【００３９】
【図１】本考案の第１実施形態の概略図である。
【図２】本考案の第１の実施形態の別の画角の概略図である。
【図３】本考案の第１の実施形態における本体の第１部分および第２部分の概略図である。
【図４】本考案の第１実施形態における本体の第１部分及びフレーム体の模式図である。
【図５】本体の第１部分がフレーム体に挿入された後の第１の実施形態の概略図である。
【図６】ロック部材を本体に装着したときの第１実施形態の拡大概略図である。
【図７】ロック部材およびフレーム体の断面図である。
【図８】本体に装着された後の、図７に示されたロック部材の局所的概略図である。
【図９】本考案の第１の実施形態における第１部分と共に繋ぎ合わせられた本体の第２部分の概略図である。
【図１０】本考案の第１の実施形態における本体の概略図である。
【図１１】本考案の第１実施形態における第１デッキ及び第２デッキの概略図である。
【図１２】本考案の第１実施形態におけるデッキの概略図である。
【図１３】アクセサリを装着した後の本考案の第１の実施形態の概略図である。
【図１４】アクセサリテイルフィンの取り付け後の本考案の第１の実施形態の概略図である。
【図１５】本考案の第２実施形態の模式図である。
【図１６】本考案の第２の実施の形態における本体及びフレーム体の模式図である。
【図１７】本考案の第２の実施の形態の変形例の本体及びフレーム体の模式図である。
【図１８】アクセサリを取り付けた後の本考案の第２の実施形態の概略図である。
【考案を実施するための形態】
【００４０】
本考案で提供されるスポーツ用具は、水上や雪上で使用されるスポーツ用具の一種であり、スケートボード、サーフボード、セイルボード、カイトボード、アクアプレーン、スノーボードなどのフラットスポーツ用具であってもよく、小型ボート、小型帆船、カヤックなどの非フラットスポーツ用具であっても良い。
【実施例１】
【００４１】
図１および図２に示すように、この実施形態のスポーツ用具は、人が立つことができるスケートボードまたはセイルボードである。スポーツ用具は、軽量で剛性の材料、例えば発泡材料−エチレン酢酸ビニル共重合体（ＥＶＡ）からなる平坦な本体１０を有する。発泡材料は低密度の利点を有するので、発泡材で作られた本体１０はスポーツ器具の重量を効果的に減少させることができる。本体１０には、デッキ３０が設けられている。この実施形態では、デッキ３０は、ガラス繊維強化エポキシ樹脂などの硬質材料からなり、本体１０よりも硬質である。
【００４２】
図２は、発泡材からなる本体１０の内部にフレーム体が配置されていることを示している。
【００４３】
図３に示すように、本体１０は、略楕円形状を有し、着脱自在に接続される第１部分１１と第２部分１２とを備えている。すなわち、第１部分１１は、第２部分１２から取り付けられている時以外は取り外されてもよい。本体１０には、本体１０の長さ方向に沿って２つのスロット１３，１４が互いに平行に配置される。２つのスロット１３，１４は共に本体１０の内部に配置されている。すなわち、本体１０の外側には見えない。また、スロット１３の一部は第１部分１１の内側にあり、他の部分は第２部分にある。同様に、スロット１４の一部は第１部分１１の内側にあり、他の部分は第２部分にある。
【００４４】
この実施形態では、本体１０は柔らかい発泡材料で作られている。本体１０の硬度を高めるために、本体１０に２つのフレーム体１７，１８が配置されており、具体的にはフレーム体１７がスロット１３の内側に配置され、フレーム体１８がスロット１４の内側に配置されている。スロット１３はスロット１４と平行であり、フレーム体１７はフレーム体１８と平行に配置されている。この実施形態では、フレーム体１７および１８は、ガラス繊維強化エポキシ樹脂またはアルミニウム合金で作られているので、本体１０よりも硬い。
【００４５】
図４および図５に示すように、フレーム体１７およびフレーム体１８は、第２部分１２に隣接する第１部分１１の端面から、第１部分１１のスロット１３および１４に挿入することができる。好ましくは、フレーム体１７および１８は、スロット１３，１４にそれぞれ嵌合し、これによりフレーム体１７，１８をスロット１３，１４にしっかりと固定する。
【００４６】
フレーム体１７，１８及びデッキ３０を本体１０にしっかりと固定するために、本実施形態では、複数のロック部材２０を設けてフレーム体１７，１８及びデッキ３０を本体１０に固定する。図６に示すように、本体１０には、スロット１３，１４の内部に複数の設置スロット１５が各々設けられている。したがって、フレーム体１７および１８がスロット１３および１４に挿入されると、それらは設置スロット１５を通過する。
【００４７】
全ての設置スロット１５には、ロック部材２０が設けられている。全てのロック部材２０は、同じ構造を有する。ロック部材２０は、略矩形状のロック本体２１を備えている。図７に示すように、ロック本体２１の内部には、貫通孔２２があり、フレーム１８が貫通孔２２を貫通できる。本実施形態では、フレーム１８の断面が円形であるため、貫通孔２２の断面も円形である。貫通孔２２の内径は、フレーム体１８が貫通孔２２を円滑に通過できるように、フレーム体１８の外径よりも僅かに大きいことが好ましい。ロック本体２１が長方形であれば、設置スロット１５も長方形である。図８に示すように、ロック本体２１を設置スロット１５内に完全に装着することができる。また、ロック本体２１の上端にはネジ２５が設けられ、設置スロット１５から露出している。また、ネジ２５には雄ネジが設けられ、ネジ２５にはナット３８が螺合されている。
【００４８】
スポーツ用具の組み立て中、まず、フレーム体１７および１８が本体１０の内部に取り付けられる。図４および図５に示すように、フレーム体１７および１８が第１部分１１のスロット１３および１４に挿入された後、第１部分１１のロック本体２１の貫通孔２２を通過する。このようにして、フレーム体１７および１８の一部が第１部分１１の外側に露出している。図９及び図１０に示すように、第２部分１２のスロット１３および１４はフレーム体１７および１８の露出した端部に直接向き合っており、第２部分１２が第１部分１１の方向に押されて、第２部分１２が第１部分１１と一体化されて一体の本体１０を形成する。フレーム１７及び１８は、第２部分１２のロック本体２１の貫通孔２２を通過する。
【００４９】
デッキ３０は、本体１０の上面に固定されている。図１１に示すように、本実施形態のデッキ３０は、第１デッキ３１と第２デッキ３２とを備えている。図１２に示すように、第１のデッキ３１と第２のデッキ３２とは、２つのコネクティングロッド３９を介して一体に連結され、一体のデッキ３０を形成する。もちろん、第１のデッキ３１と第２のデッキ３２との間の接続は分離可能でなければならない。換言すれば、コネクティングロッド３９を取り外すことにより、第１のデッキ３１と第２のデッキ３２とを分離することができる。このようにして、第１のデッキ３１と第２のデッキ３２を組み立てたり分解したりすることができる。例えば、２本のコネクティングロッド３９の間に所定の角度が形成され、これらをデッキ３１，３２の左右の収納穴に異なる角度で挿入することにより、デッキ３１，３２がしっかりと連結されて組立、分解が行われる。当然のことながら、この実施形態におけるコネクティングロッドは一例に過ぎず、第１のデッキは、当該技術分野において周知の他の取り外し可能な接続方法またはコネクタによって第２のデッキと結合されてもよい。
【００５０】
この実施形態では、デッキ３０と本体１０との間の位置決めを実現するために、デッキ３０には複数の位置決め突起３５が設けられている。これに対応して、本体１０には複数の位置決め溝１６が設けられている。図６及び図８に示すように、位置決め溝１６は、本体１０の表面にあり、本体１０の表面から下方に沈んでいる。好ましくは、設置スロット１５は、位置決め溝１６の下にあり位置決め溝１６よりも狭く、ロック部材２０は、位置決め溝１６を通過して設置スロット１５内に取り付けられて良い。
【００５１】
デッキ３０の位置決め突起３５は、デッキ３０の表面から下方に延びており、位置決め突起３５は全て位置決め溝１６に相当する。従って、位置決め突起３５の幅は、位置決め溝１６の幅よりわずかに小さい。また、位置決め突部３５の途中には貫通孔３６が設けられ、ロック部材２０のネジ２５は貫通孔３６を貫通して上方に延びている。ネジ２５には、ナット３８がねじ込まれてもよい。好ましくは、ナット３８は、デッキ３０の上にある。すなわち、ナット３８が、デッキ３０の上からネジ２５にねじ込まれる。図８に示すように、ナット３８がネジ２５にねじ込まれた後、デッキ３０およびフレーム体１７および１８を本体１０に固定して一体の本体を形成することができる。
【００５２】
もちろん、スポーツ用具は、典型的には、多数のフットマフ及びテイルフィンのような複数のアクセサリを備える必要がある。これらのアクセサリは、デッキ３０上に固定されることができる。図１３および図１４に示すように、デッキ３０を本体１０に固定した後、フットマフ４０やテイルフィン４１などのアクセサリをデッキ３０に取り付けることができ、多数のネジ穴をデッキ３０に設けることができる。ネジなどが、デッキ３０にフットマフ及びテイルフィンを固定するために使用され、テイルフィンは本体１０に設けられた穴を通過して本体１０から突き出る。デッキ３０の材料が硬いので、デッキ３０に設けられたアクセサリがデッキ３０から脱落しにくい。また、デッキ３０がロック部材２０を介して本体１０に固定されているので、アクセサリも本体１０に固定されているのと同等となる
【実施例２】
【００５３】
この実施形態のスポーツ器具はカイトボードである。カイトボードの体積は小さいため、本体を２つのセクションで設計する必要はない。したがって、デッキを２つのセクションで設計する必要もない。図１５に示すように、スポーツ用具は、発泡材からなる本体５０を備えている。図１６に示すように、本体５０の内部には２つのスロット５１，５２が設けられ、本体５０には両者が隠れている、すなわち、スロット５１，５２は本体５０の表面には見えない。
【００５４】
本体５０の硬度を高めるために、２つのフレーム５３，５４を本体５０の内側に配置し、スロット５１，５２にそれぞれ挿入する。この実施形態では、フレーム５３，５４は、ガラス繊維強化エポキシ樹脂またはアルミニウム合金で形成され、本体５０よりも硬いことを保証する。したがって、スロット５１および５２は、本体の側面に開口部を有してもよい。図５０に示すように、図１６および図１７に示すように、フレーム体５３，５４は、本体５０の側部からスロット５１，５２に挿入され、本体５０のロック本体の貫通孔を貫通してもよい。
【００５５】
デッキ６０は、本体５０の上に配置され、ガラス繊維強化エポキシ樹脂のような硬い材料で作られている。また、本体５０は、２分割構造ではないので、デッキ６０も２分割構造である必要はなく、一体構造であってもよい。デッキ６０及びフレーム５３，５４を本体５０に固定するために、本体５０に複数の設置スロットを設け、全てをスロット５１，５２上に配置することができる。ロック部材は、各設置スロットに配置することができる。ロック部材の構造は、第１の実施形態のロック部材の構造と同様であり、貫通孔が設けられたロック本体を備え、フレーム体５３，５４がロック部材の貫通孔を通過することができる。
【００５６】
また、本体５０には複数の位置決め溝５５が設けられ、デッキ６０には複数の位置決め突起６１が設けられている。図１７及び図１８に示すように、各位置決め突起６１は、位置決め溝５５の内側に配置される。好ましくは、位置決め溝５５及び位置決め突起６１の下にロック部材が確実にくるように、各位置決め突起５５は、設置スロット上に位置する。各ネジの上端がデッキ６０の位置決め突起６１を通過し、最後にナットがネジを固定するために使用され、デッキ６０およびフレーム５３，５４を本体５０内に固定して、一体的に形成する。
【００５７】
勿論、デッキ６０に複数のアクセサリを配置してもよい。図１８に示すように、フットマフ６２およびテイルフィン６３などのアクセサリをデッキ６０に取り付けることができる。デッキ６０には、例えばネジまたはリベットで固定することができる。デッキ６０が硬いので、デッキ６０に固定されたアクセサリは、離脱を防止することができる。また、デッキ６０も本体５０に固定されているので、アクセサリは本体５０に固定されているのと同等である。
【００５８】
明らかに、本考案が提供するスポーツ用具の本体は発泡材料で作られており、水の非吸収、安定した物理的性質、酸およびアルカリに対する耐性、長寿命、高弾性、および耐性という長所を有し、衝突、長時間の海水侵食、ＵＶ光、低温および低温に対応し、水上と雪上スポーツの適性要件を満たしている。また、スポーツ用具の硬度を高めるために、本体の内部にガラス繊維強化エポキシ樹脂やアルミニウム合金製のフレーム体を配置し、硬質デッキが本体に配置され、ガラス繊維強化エポキシ樹脂製であり、フレーム体とデッキの材質は安定しており、耐久性がある。
【００５９】
また、本考案のスポーツ用具の製造方法は、既存のスポーツ用具よりも簡単であり、不具合の可能性を大幅に低減することができる。既存の製造方法では、本体のケーシングは、エンジニアリング繊維と熱硬化性プラスチックとからなる。熱硬化性プラスチックの化学的形成プロセスは、温度、湿度および他の気候および環境要因の変化に非常に敏感であり、多くの場合、不完全な化学反応をもたらし、高い製品拒絶率を引き起こす。さらに、スポーツ用具の既存の製造プロセスでは、手作業が大部分を占め、手順が複雑であり、時間の制御が非常に正確であり、化学薬品の投与量が正確でなければならないため、製造作業員は、相当のスキルと集中力を要求される。手作業への過度の依存は、しばしば人間の過失や過ちによる欠陥を引き起こす。
【００６０】
これに対して、本考案のスポーツ用具は、主に発泡材を用いて本体を構成している。本体は、射出成形または圧縮成形の方法によって金型で成形することができる。デッキ、フレーム体およびその他のモジュラーピースの製造プロセスは、人間の手に対する依存性が低く、環境要因の影響をほとんど受けない機械によって主に完成される。完成した製品の組み立てには、手作業による簡単な手順のみがいくつか必要で、人的要因による製品の欠陥率が大幅に低下する。
【００６１】
さらに、本考案は、スポーツ用具の耐久性および修理に関する問題も解決する。既存のスポーツ用具のケーシングは、エンジニアリングファイバーと熱硬化性プラスチックからなる。軽量化の要求を満たすために、ケーシングは薄い。そのため衝突の際に損傷する可能性が高い。既存のスポーツ用具の製造方法は、大量の軽量化と堅固さを実現するために卵の一体構造を模倣するという原理を指す。密閉構造の一体化を実現するためには、ケーシングと発泡コアとを同期させて形成する必要がある。このような理由から、ケーシングが破損したときに、たとえ修復されても、完全な一体構造は破壊されており、もはや存在しない。修理された場所は、その後の被害拡大の原因となる。最終的には、スポーツ用具は全体的な廃棄に直面する。さらに、繊維強化プラスチックの修理設備は特殊な技術を必要とし、修理費用が高い。
【００６２】
これに対して、本考案のスポーツ用具本体は、非常に高い弾性を有する。衝突によって容易に損傷することはなく、耐久性が高く、修理が必要なことは希である。また、本体はいくつかのセクションで構成される。１つのセクションがひどく壊れて修復できない場合でも、このセクションだけを交換すればよい。スポーツ用具は通常の状態に戻り、機器全体が廃棄されることはない。本考案が提供するスポーツ用具は、耐久性及び修理性の点で既存のスポーツ用具よりも優れている。
【００６３】
あるいは、上記の実施形態において、フレーム体は、複数のセクションから構成されてもよい。たとえば、フレーム体は２つのセクションで構成され、フレーム体の各セクションは本体のセクション内に配置される。または、本体が一体の本体であっても、フレーム体は依然として２つ以上の部分から構成されてもよい。
【００６４】
別の例では、第１の実施形態において、フレーム体は３つのセクションから構成され、フレーム体の頭部および尾部が第１部分および第２部分のスロットの内側に配置され、中間部分は、第１および第２部分の対応するスロットの内側に同時に配置される。
【００６５】
また、他の例として、上記各実施形態において、本体とデッキとが一体であっても分割されていても、物理的又は化学的な方法により、本体の上面に硬質デッキを固定する固定方法や連結方法であれば採用でき、フレーム体は、本体の内部に予め配置されていてもよい。セグメント化された本体とデッキを接続するだけでよい。
【００６６】
また、上記実施形態では、デッキと本体との接続及び位置決めは上記説明に限定されず、他の形態の固定部材を採用することもできる。
【００６７】
さらに、本考案は輸送及び運搬の面で有利である。既存のスポーツ用具は、一体的でかさばり、取り扱いや持ち運びが容易ではない。さらに、壊れ易い弱いケーシングを衝突から保護するために、輸送中は厚くて重い保護包装が必要であり、容積と重量の両方が増加し、運搬がより困難になる。本考案で提供されるスポーツ用具は、複数の短小モジュールに分割されてもよい。ユーザは、それらを個別に取り扱い、運ぶことができる。例えば、車のキャビンやトランクの限られたスペースに入れられ、公共交通手段によって輸送されてもよい。さらに、本体は弾性が高いので、余分な保護用のパッケージを必要とせず、その体積および重量が増加しない。
【００６８】
また、本考案のスポーツ用具は、移動が容易である。既存のスポーツ用具は、かさばった一体型のものであるため、使用者は、保管場所または駐車場から使用場所へ運ぶために十分に強健でなければならない。これと比較して、本考案で提供される製品は、より小さいモジュールに分割され、時に応じて運ばれるので、弱い女性や子供でも容易に持ち運ぶことができる。
【００６９】
本考案のスポーツ用具は、上記の既存のスポーツ用具の欠点を改善するだけでなく、以下の利点を有する。
【００７０】
第１は、海外または地方の輸送における利点である。既存のスポーツ用具と比較して、総重量と総容積の点では似ているが、物流輸送と航空輸送はパッケージの長さに制限がある。既存のスポーツ用具は一体的なものであり、一般に長さの限界を超えているため、運搬者にとって受け入れられない。一方、本考案で提供されるスポーツ用具は、より小さなモジュラーピースに分割され、それゆえ、物流輸送や航空委託で受け入れられる。さらに、本体は非常に弾性があり、衝突による損傷が容易ではないので、既存のスポーツ用具に要求されるような厚く重い保護パッケージは不要である。小さな容積と重量で貨物を節約することもできる。
【００７１】
第２は、保管上の利点である。既存のスポーツ用具は、大量の一体型部品であり、保管スペースの要件がある。これと比較して、本考案で提供されるスポーツ用具は、小さなモジュラーピースに分割され、限定された散在した家の空間に格納されてもよい。さらに、本体は、衝突によって容易に損傷されることはなく、保管条件の要求がより低い。
【００７２】
第３は、旅行中に常習的な機器を使用する利点である。旅行者は、自分が頻繁に使用する機器を使用して、適応しなければならない馴染みのない機器を借りないようにしたいと考えている。既存のスポーツ用具は、大型で一体的な部品であり、輸送中に損傷を受けやすいので、旅行中の運搬および使用には適していない。これと比較して、本考案で提供する製品はより小さなモジュラー部品に分割され、その本体は衝突によって容易に損傷されないので、便宜的に手荷物として委託することができ、目的地での使用に適している。ユーザは、自身が慣れているスポーツ用具を使用することができる。
【００７３】
第４は、水上で隣接するユーザに安全であるという利点である。本考案で提供されるスポーツ器具の露出部分は硬質材料ではなく軟質発泡材料であるため、多くの人と一緒に水上で使用しても、衝突による他の水泳者の怪我の可能性が減少する。
【００７４】
第５は、アクセサリを簡易かつ無料で追加できるという利点である。複数の穴をあけることによって、硬質デッキまたは本体にアクセサリが取り付けられるかどうかにかかわらず、既存のスポーツ用具において生じ得るような、本体に水が侵入し、装置の重量が増加するということがなくなる。アクセサリを設置するために既存のスポーツ用具に穴を開けるとき、水の侵入を防ぐことは複雑で高価である。既存のスポーツ用具にアクセサリを取り付ける場合には、本考案と同じくらい簡便とはならない。
【００７５】
第６は、既存のスポーツ用具よりもヨットやセイルボートに乗って遊ぶためのライトボートに適しているという利点がある。本考案で提供されるスポーツ用具は小さなモジュラーピースに分割することができ、貯蔵スペースに対する要求が低く、ヨットおよびヨットキャビンの限られたスペースに弾性的に入れることができる。また、本体は柔らかく軽い発泡材で構成される。ヨットやセイルボートが波をうけた時、緩いスポーツ用具からの衝突は、ボートを傷つけたり、ユーザを傷つけたりすることはない。収納スペースの要求が低く、柔らかい素材の安全性により、ヨットやセイルボートで運ばれるアミューズメントライトボートのための既存のスポーツ用具よりも適している。
【００７６】
最後に、本考案は前述の実施形態に限定されないことを強調すべきである。例えば、実際の必要に応じて、本体またはデッキをモジュールの３つ以上のセクションに分けたり、本体内に１つのフレーム体または３つ以上のフレーム体を配置したり、異なる形状のフレーム体を採用したり、または、アクセサリ品を取り付けるためのデッキは、本体の表面にはなく、本体に挟まれていても良い。そのような変更もまた、本考案の請求項の保護範囲に含まれるべきである。
【図１】
0003216591.tif 000003
【図２】
0003216591.tif 000004
【図３】
0003216591.tif 000005
【図４】
0003216591.tif 000006
【図５】
0003216591.tif 000007
【図６】
0003216591.tif 000008
【図７】
0003216591.tif 000009
【図８】
0003216591.tif 000010
【図９】
0003216591.tif 000011
【図１０】
0003216591.tif 000012
【図１１】
0003216591.tif 000013
【図１２】
0003216591.tif 000014
【図１３】
0003216591.tif 000015
【図１４】
0003216591.tif 000016
【図１５】
0003216591.tif 000017
【図１６】
0003216591.tif 000018
【図１７】
0003216591.tif 000019
【図１８】
0003216591.tif 000020